(57)【特許請求の範囲】
【請求項１】
チャンネルプランのチャンネル番号毎の周波数を中心にして同調周波数を変化させることにより、チャンネル番号毎のテレビジョン電波に同調し、同調したテレビジョン電波を受信するテレビチューナにおいて、
前記チャンネルプランのチャンネル番号毎の周波数を、基準発振周波数を所定の分周比で分周した周波数単位のチャンネル基準ステップ数に変換して記憶する第１の記憶手段と、チャンネル番号が選択操作されたときに、前記第１の記憶手段が記憶する該チャンネル番号のチャンネル基準ステップ数を中心にして、チャンネルステップ数を変化させることにより前記周波数単位で同調周波数を変化させてテレビジョン電波に同調し、テレビジョン電波に同調したチャンネルステップ数から、前記第１の記憶手段が記憶する該チャンネル番号のチャンネル基準ステップ数を減算する手段と、該手段の減算結果を前記チャンネル番号と共に記憶する第２の記憶手段と、前記チャンネル番号が選択操作されたときに、前記第１の記憶手段が記憶する該チャンネル番号のチャンネル基準ステップ数に、前記第２の記憶手段が該チャンネル番号と共に記憶する減算結果を加算する手段とを備え、該手段の加算結果に基づきテレビジョン電波に同調し、同調したテレビジョン電波を受信すべくなしてあることを特徴とするテレビチューナ。
【請求項２】
前記加算結果に基づき前記テレビジョン電波の周波数帯域を識別してバンド切り換えの為のバンドデータを作成する手段を更に備え、該手段が作成したバンドデータに基づきバンドを切り換えてテレビジョン電波に同調し、同調したテレビジョン電波を受信すべくなしてあるテレビチューナ。
【請求項３】
請求項１又は２に記載されたテレビチューナを備えることを特徴とする映像機器。
【発明の詳細な説明】
【０００１】
【発明の属する技術分野】
本発明は、テレビジョン受像機、ビデオテープレコーダ等に使用されるテレビチューナ、及びテレビジョン受像機、ビデオテープレコーダ等の映像機器に関するものである。
【０００２】
【従来の技術】
テレビジョン電波の周波数は、混信を防ぐ為に、ＣＣＩＲ（Ｉｎｔｅｒｎａｔｉｏｎａｌ  Ｒａｄｉｏ  Ｃｏｍｍｉｔｔｅｅ  ）により国又は地域毎に割り当てられており、例えば、図７の日本チャンネル受信周波数一覧表及び図８のアメリカチャンネル受信周波数一覧表に示すように、チャンネル番号毎の周波数は国により大きく異なっている。
テレビジョン受像機、ビデオテープレコーダ等の映像機器の製造会社では、ＣＣＩＲで定められた図７，８に示すような出荷先のチャンネル受信周波数一覧表を基準にして、それぞれ任意に出荷先毎に図６に示すようなチャンネルプランを作成し、製造する映像機器に内蔵するマイクロコンピュータのＲＯＭ（Ｒｅａｄ  Ｏｎｌｙ  Ｍｅｍｏｒｙ）に記憶させている。
【０００３】
ユーザは、このチャンネルプランにより、映像機器のチャンネルプリセットモードでチャンネル設定の操作を簡単に行うことが出来る。
例えば、チャンネルプリセットモードで、受信したいチャンネル番号を０２に設定した場合、マイクロコンピュータのＲＯＭに記憶されているチャンネルプラン（図６）から、４８．２５ＭＨｚの局を選局することになり、放送局の周波数が判っていれば、チャンネル番号を選択することで、受信することが可能となる。
【０００４】
上述したチャンネルプランでは、チャンネル番号［０２］＝４８．２５ＭＨｚであるが、映像機器では、何らかの影響により、受信した周波数が４８．２５ＭＨｚからずれている場合でも、微調整の選局動作を行い、受信することが可能になっている。
映像機器では、仮に、放送周波数がずれている場合、また、新たに開局した放送局が上記チャンネルプランからずれた周波数で放送しているような場合でも、受信することが出来るように、各チャンネル番号のセンタ周波数に対する最大ずれ量が設定されており、設定された範囲内であれば受信することが可能となっている。この範囲は、「カバー範囲」と呼ばれ、各チャンネル番号のセンタ周波数に対しプラス側／マイナス側にそれぞれ割り当てられているのが一般的である。
【０００５】
例えば、出荷先がヨーロッパである場合、カバー範囲はセンタ周波数（チャンネル番号［０２］であれば４８．２５ＭＨｚ）に対し、±４．６ＭＨｚに設定されている。従って、チャンネル番号［０２］では、４３．６５ＭＨｚ〜５２．８５ＭＨｚの範囲で受信が可能ということになる。
【０００６】
例えば、４９．００ＭＨｚの放送周波数をチャンネル番号［０２］で受信する場合、４９．００ＭＨｚとマイクロコンピュータのＲＯＭに記憶されているチャンネル番号［０２］の４８．２５ＭＨｚとは、７５０ｋＨｚの差がある為、チャンネル番号［０２］が選局される都度、７５０ｋＨｚの差に応じた選局時間が必要となり、選局終了迄の間、映像機器の画面にノイズが発生することになる。
このような問題を回避する為には、一度選局し受信した周波数４９．００ＭＨｚを記憶させておき、以後、同じチャンネル番号が選択された場合、４８．２５ＭＨｚではなく４９．００ＭＨｚを使用して同調受信動作を行えば良い。
【０００７】
ところで、最近の映像機器では、そのテレビチューナにＰＬＬ（Ｐｈａｓｅ  ＬｏｃｋｅｄＬｏｏｐ  ）シンセサイザを使用したものが多い。テレビチューナでは、ＰＬＬシンセサイザを図２に示すような局部発振回路に組み込んでおり、この局部発振回路では、基準となるクロックを出力する水晶発振器等からなる基準発振器２０と、基準発振器２０が出力したクロックを例えば１０２４分周し、基準周波数ｆｒを有する基準周波数信号を出力する固定分周器２１と、基準周波数信号及び後述する可変分周器２６の出力信号の位相を比較し、その位相差に応じた信号を出力する位相比較回路２２とを備えている。
【０００８】
この局部発振回路は、また、位相差に応じた信号を平滑するローパスフィルタ２３と、ローパスフィルタ２３が出力した信号電圧に応じた周波数ｆｏｓｃの周波数信号を出力するＶＣＯ２４（Ｖｏｌｔａｇｅ  Ｃｏｎｔｒｏｌｅｄ  Ｏｓｃｉｌａｔｏｒ  ）と、ＶＣＯ２４が出力した周波数信号を８分周する前置分周器２５と、前置分周器２５の出力信号を更にＮ分周する（Ｎは自然数）可変分周器２６と、映像機器のマイクロコンピュータからの周波数制御信号及びバンド識別信号を受けるバスインタフェース２８と、バスインタフェース２８が受けた周波数制御信号（Ｎの２進数）を記憶し、可変分周器２６に与えるシフトレジスタ２７とを備えている。
【０００９】
上述したような局部発振回路では、ＶＣＯ２４が出力した周波数ｆｏｓｃの周波数信号の位相がロックされると、基準周波数ｆｒとＰＬＬに介挿された分周器２５，２６の分周比８×Ｎとから、ｆｏｓｃ＝ｆｒ×８×Ｎ  となり、周波数ｆｏｓｃの局部発振信号を出力する。テレビチューナは、この局部発振信号と同調増幅したテレビジョン電波とを混合し、それらの差の周波数を有する中間周波信号を出力する。
従って、このテレビチューナは、ｆｒ×８の周波数単位で受信周波数を変化させることが出来、各チャンネル番号に対応する受信周波数も上記Ｎに関連する数値に変換して記憶している。
【００１０】
例えば、基準発振器２０の発振周波数が４．４３３ＭＨｚであれば、固定分周器２１の分周比から、ｆｒ＝４．４３３ＭＨｚ／１０２４  となり、上記周波数単位は、ｆｒ×８＝４．４３３ＭＨｚ×８／１０２４＝３４．６３７６ｋＨｚである。
【００１１】
従って、上述したチャンネル番号［０２］の４９．００ＭＨｚの放送周波数（受信周波数）の場合、３４．６３７６ｋＨｚの倍数は、４９．００ＭＨｚ／３４．６３７６ｋＨｚ＝１４１４．５・・・≒１４１５となり、１４１５周波数単位（ステップ）を記憶させておけば良く、これを記憶するのに１１ビットの容量が必要である。
【００１２】
現在のテレビジョン電波の周波数は１０００ＭＨｚを超えないから、１０００ＭＨｚ／３４．６３７６ｋＨｚ＝２８８６８．３・・・≒２８８６８（ステップ）＜３２７６８＝２１５となり、１チャンネル番号当たり１５ビットの記憶容量があれば、国、地域を問わず対応することが出来るので、図１０に示すような、１チャンネル番号当たり１５ビットの（選局データ）フォーマットで、マイクロコンピュータのメモリに記憶させるようになっている。勿論、上述したチャンネルプランも１チャンネル番号当たり１５ビットのフォーマットで、マイクロコンピュータのＲＯＭに記憶されている。
【００１３】
図９は、このようなマイクロコンピュータを内蔵する映像機器の上述した従来のチャンネル設定動作を示すフローチャートである。マイクロコンピュータは、チャンネルプリセットモードにおいて、チャンネル番号が設定されると（Ｓ４０）、ＲＯＭに記憶されたチャンネルプランから、設定されたチャンネル番号に対応するチャンネル基準ステップ数を読み込む（Ｓ４２）。
マイクロコンピュータは、次に、自動的に又はユーザの手動により、読み込んだチャンネル基準ステップ数を中心にして同調操作を実行し（Ｓ４４）、同調が完了すると（Ｓ４６）、そのときのチャンネルステップ数を読み込む（Ｓ４８）。
【００１４】
マイクロコンピュータは、読み込んだチャンネルステップ数から、ＵＨＦ，ＶＨＦＨ，ＶＨＦＬのバンド（周波数帯域）を識別し、バンド切り換えの為のバンドデータを作成する（Ｓ５０）。
マイクロコンピュータは、次に、設定されたチャンネル番号、読み込んだチャンネルステップ数及び作成したバンドデータをメモリに記憶させる（Ｓ５２）。
マイクロコンピュータは、以上の動作をチャンネル番号が設定される（Ｓ４０）都度実行し、チャンネルプリセットモードが解除され、チャンネル設定が終了すると（Ｓ５４）リターンする。
【００１５】
【発明が解決しようとする課題】
上述したように、従来の映像機器及びテレビチューナでは、チャンネル番号に対応する受信周波数を１５ビットのデータとして記憶しているが、最近は、チャンネル数が増加して、その為の必要とするメモリ容量も無視出来ない程に増加しているという問題がある。
【００１６】
上述したＰＬＬシンセサイザに関する技術としては、無線通信機器において、ＣＰＵにて制御するＰＬＬ発振回路の発振周波数を、使用目的に応じて任意設定することが出来る「ＰＬＬ制御方式」が特開昭６１−２６９４１１号公報に開示されている。
【００１７】
本発明は、上述したような事情に鑑みてなされたものであり、第１，２発明では、チャンネル設定の為のメモリ容量を削減することが出来るテレビチューナを提供することを目的とする。
第３発明では、第１又は第２発明に係るテレビチューナを備えた映像機器を提供することを目的とする。
【００１８】
【課題を解決するための手段】
第１発明に係るテレビチューナは、チャンネルプランのチャンネル番号毎の周波数を中心にして同調周波数を変化させることにより、チャンネル番号毎のテレビジョン電波に同調し、同調したテレビジョン電波を受信するテレビチューナにおいて、前記チャンネルプランのチャンネル番号毎の周波数を、基準発振周波数を所定の分周比で分周した周波数単位のチャンネル基準ステップ数に変換して記憶する第１の記憶手段と、チャンネル番号が選択操作されたときに、前記第１の記憶手段が記憶する該チャンネル番号のチャンネル基準ステップ数を中心にして、チャンネルステップ数を変化させることにより前記周波数単位で同調周波数を変化させてテレビジョン電波に同調し、テレビジョン電波に同調したチャンネルステップ数から、前記第１の記憶手段が記憶する該チャンネル番号のチャンネル基準ステップ数を減算する手段と、該手段の減算結果を前記チャンネル番号と共に記憶する第２の記憶手段と、前記チャンネル番号が選択操作されたときに、前記第１の記憶手段が記憶する該チャンネル番号のチャンネル基準ステップ数に、前記第２の記憶手段が該チャンネル番号と共に記憶する減算結果を加算する手段とを備え、該手段の加算結果に基づきテレビジョン電波に同調し、同調したテレビジョン電波を受信すべくなしてあることを特徴とする。
【００１９】
このテレビチューナでは、第１の記憶手段が、チャンネルプランのチャンネル番号毎の周波数を、基準発振周波数を所定の分周比で分周した周波数単位のチャンネル基準ステップ数に変換して記憶し、減算する手段が、チャンネル番号が選択操作されたときに、前記第１の記憶手段が記憶するそのチャンネル番号のチャンネル基準ステップ数を中心にして、チャンネルステップ数を変化させることにより前記周波数単位で同調周波数を変化させてテレビジョン電波に同調し、テレビジョン電波に同調したチャンネルステップ数から、前記第１の記憶手段が記憶するそのチャンネル番号のチャンネル基準ステップ数を減算し、第２の記憶手段が、その減算結果をチャンネル番号と共に記憶する。加算する手段は、チャンネル番号が選択操作されたときに、前記第１の記憶手段が記憶するそのチャンネル番号のチャンネル基準ステップ数に、前記第２の記憶手段がそのチャンネル番号と共に記憶する減算結果を加算し、その加算結果に基づきテレビジョン電波に同調し、同調したテレビジョン電波を受信する。これにより、チャンネルプランのチャンネル番号毎の周波数とテレビジョン電波に同調したチャンネル番号の受信周波数とを記憶する必要がなく、チャンネル設定の為のメモリ容量を削減することが出来るテレビチューナを実現することが出来る。
【００２０】
第２発明に係るテレビチューナは、前記加算結果に基づき前記テレビジョン電波の周波数帯域を識別してバンド切り換えの為のバンドデータを作成する手段を更に備え、該手段が作成したバンドデータに基づきバンドを切り換えてテレビジョン電波に同調し、同調したテレビジョン電波を受信すべくなしてあることを特徴とする。
【００２１】
このテレビチューナでは、加算する手段の加算結果に基づきテレビジョン電波の周波数帯域を識別してバンド切り換えの為のバンドデータを作成し、作成したバンドデータに基づきバンドを切り換えてテレビジョン電波に同調し、同調したテレビジョン電波を受信するので、チャンネル番号毎に周波数帯域を切り換える為のバンドデータを記憶する必要がなく、チャンネル設定の為のメモリ容量を削減することが出来るテレビチューナを実現することが出来る。
【００２２】
第３発明に係る映像機器は、請求項１又は２に記載されたテレビチューナを備えることを特徴とする。
【００２３】
この映像機器では、請求項１又は２に記載されたテレビチューナを備えるので、チャンネル設定の為のメモリ容量を削減することが出来る。
【００２４】
【発明の実施の形態】
以下に、本発明をその実施の形態を示す図面に基づいて説明する。
図１は、本発明に係るテレビチューナ及び映像機器の実施の形態の要部構成を示すブロック図である。この映像機器は、ビデオテープレコーダ（ＶＴＲ）を内蔵したテレビジョン受像機（所謂テレビデオ）であり、アンテナ８により受信されたテレビジョン電波が、チューナ７により選択増幅されると共に、中間周波信号に変換され、ＴＶ処理回路６へ与えられる。
【００２５】
チューナ７は、テレビジョン電波に同調し、同調したテレビジョン電波を増幅して出力する高周波増幅回路１１と、高周波増幅回路１１の同調周波数より中間周波信号の周波数分高い局部発振信号を出力する局部発振回路１２と、高周波増幅回路１１が出力したテレビジョン電波及び局部発振回路１２が出力した局部発振信号を混合し、それらの差の周波数を有する中間周波信号を出力する混合回路１３とを備えている。
【００２６】
ＴＶ処理回路６は、中間周波信号を増幅し、テレビジョン信号と音声中間周波信号とに分離する。音声中間周波信号は、増幅された後、音声信号が検波増幅され、図示しないスピーカから出力される。
ＴＶ処理回路６は、テレビジョン信号を増幅した後、搬送色信号Ｃ及び輝度信号Ｙに分離して、色差信号Ｒ−Ｙ，Ｇ−Ｙ，Ｂ−Ｙを再生する。再生された色差信号Ｒ−Ｙ，Ｇ−Ｙ，Ｂ−Ｙは、増幅された輝度信号Ｙがそれぞれ加算されて、色信号Ｒ，Ｇ，Ｂとなって、ＣＲＴ２（ブラウン管）へ入力される。ＣＲＴ２では、色信号Ｒ，Ｇ，Ｂは、それぞれの強さに応じた電子ビームとなる。
【００２７】
また、ＴＶ処理回路６は、輝度信号Ｙから垂直同期信号Ｖと水平同期信号Ｈとを分離し、垂直同期信号Ｖを垂直ドライブ回路５へ、水平同期信号Ｈを水平ドライブ回路４へそれぞれ与える。
垂直ドライブ回路５は、与えられた垂直同期信号Ｖに同期した鋸歯状波電圧を作成し、これによりＣＲＴ２の垂直偏向コイルを駆動する。
【００２８】
水平ドライブ回路４は、与えられた水平同期信号Ｈに同期した水平ドライブ信号を出力し、ＣＲＴ２の水平偏向コイルを駆動すると共に、高圧回路３へ与える。
高圧回路３は、与えられた水平ドライブ信号Ｈによるスイッチング動作と、内蔵するフライバックトランスとにより、Ｂ電源電圧を昇圧整流し、高圧として出力する。出力された高圧はＣＲＴ２の陽極に印加される。
【００２９】
一方、ＴＶ処理回路６は、増幅したテレビジョン信号を、記録する場合に備えて、内蔵するビデオテープレコーダ（ＶＴＲ）のＶＴＲ処理回路１５に与えている。
ＶＴＲ処理回路１５は、記録する場合、与えられたテレビジョン信号を搬送色信号Ｃ及び輝度信号Ｙに分離して、輝度信号ＹをＦＭ変調し、搬送色信号Ｃを周波数変換した後、両者を混合して、内蔵するＶＴＲのシリンダーヘッド１７（ヘッドシリンダー）に与える。
【００３０】
ＶＴＲ処理回路１５は、再生する場合、シリンダーヘッド１７が読取った再生信号を搬送色信号Ｃ及び輝度信号Ｙに分離して、輝度信号ＹをＦＭ復調し、搬送色信号Ｃを周波数変換した後、両者を混合して、テレビジョン信号としてＴＶ処理回路６に与える。
高周波増幅回路１１、局部発振回路１２、ＴＶ処理回路６、ＶＴＲ処理回路１５及びシリンダーヘッド１７は、バス１９によりマイクロコンピュータ１０に接続されており、マイクロコンピュータ１０から作動制御される。
【００３１】
マイクロコンピュータ１０は、選局の基準となるチャンネルプランのチャンネル番号及びその受信周波数に関連する数値を記憶させてあるＲＯＭである基準チャンネルメモリ１０ａと、チャンネル設定操作によりテレビジョン電波に同調した受信周波数に関連する数値を、そのチャンネル番号に対応させて記憶させる為のチャンネルメモリ１０ｂとを備えている。
マイクロコンピュータ１０には、ユーザがテレビジョン受像機の操作を行う為の操作部９が接続されている。
【００３２】
図２は、局部発振回路１２の要部構成を示すブロック図である。
この局部発振回路１２は、基準となるクロックを出力する水晶発振器等からなる基準発振器２０と、基準発振器２０が出力したクロックを例えば１０２４分周し、基準周波数ｆｒを有する基準周波数信号を出力する固定分周器２１と、基準周波数信号及び後述する可変分周器２６の出力信号の位相を比較し、その位相差に応じた信号を出力する位相比較回路２２とを備えている。
【００３３】
局部発振回路１２は、また、位相差に応じた信号を平滑するローパスフィルタ２３と、ローパスフィルタ２３が出力した信号電圧に応じた周波数ｆｏｓｃの周波数信号を出力するＶＣＯ２４（Ｖｏｌｔａｇｅ  Ｃｏｎｔｒｏｌｅｄ  Ｏｓｃｉｌａｔｏｒ  ）と、ＶＣＯ２４が出力した周波数信号を８分周する前置分周器２５と、前置分周器２５の出力信号を更にＮ分周する（Ｎは自然数）可変分周器２６と、映像機器のマイクロコンピュータからの周波数制御信号及びバンド識別信号を受けるバスインタフェース２８と、バスインタフェース２８が受けた周波数制御信号（Ｎの２進数）を記憶し、可変分周器２６に与えるシフトレジスタ２７とを備えている。
【００３４】
局部発振回路１２では、ＶＣＯ２４が出力した周波数ｆｏｓｃの周波数信号の位相がロックされると、基準周波数ｆｒとＰＬＬに介挿された分周器２５，２６の分周比８×Ｎから、ｆｏｓｃ＝ｆｒ×８×Ｎ  となり、周波数ｆｏｓｃの局部発振信号を出力する。
また、高周波増幅回路１１は、可変容量ダイオードを使用して、電気信号により同調周波数を変化させる電子同調回路を使用している。
従って、チューナ７は、ｆｒ×８の周波数単位で受信周波数を変化させることが出来、各チャンネル番号に対応する受信周波数も上記Ｎに関連する数値に変換してチャンネルメモリ１０ｂに記憶させる。
【００３５】
例えば、基準発振器２０の発振周波数が４．４３３ＭＨｚであれば、固定分周器２１の分周比から、ｆｒ＝４．４３３ＭＨｚ／１０２４  となり、上記周波数単位は、ｆｒ×８＝４．４３３ＭＨｚ×８／１０２４＝３４．６３７６ｋＨｚであり、基準チャンネルメモリ１０ａ及びチャンネルメモリ１０ｂに記憶される受信周波数は、３４．６３７６ｋＨｚの倍数又は倍数に関連する数値（ステップ数）に変換されて記憶される。
【００３６】
以下に、このような構成の映像機器の動作を、それを示す図３，５のフローチャートを参照しながら説明する。
マイクロコンピュータ１０は、チャンネルプリセットモードにおいて、チャンネル番号が設定されると（図３Ｓ２）、基準チャンネルメモリ１０ａに記憶されたチャンネルプランから、設定されたチャンネル番号に対応するチャンネル基準ステップ数を読み込む（Ｓ４）。
マイクロコンピュータ１０は、次に、自動的に又はユーザの手動により、読み込んだチャンネル基準ステップ数を中心にして同調操作を実行し（Ｓ６）、同調が完了すると（Ｓ８）、そのときのチャンネルステップ数を読み込む（Ｓ１０）。
【００３７】
マイクロコンピュータ１０は、読み込んだ（Ｓ１０）チャンネルステップ数から、読み込んだ（Ｓ４）チャンネル基準ステップ数を減算して、チャンネルメモリ１０ｂに記憶しておく為の記憶ステップ数を求める（Ｓ１２）。
マイクロコンピュータ１０は、設定された（Ｓ２）チャンネル番号、求めた（Ｓ１２）記憶ステップ数の絶対値及び求めた（Ｓ１２）記憶ステップ数の正負符号をチャンネルメモリ１０ｂに記憶させる（Ｓ１４）。
マイクロコンピュータ１０は、以上の動作をチャンネル番号が設定される（Ｓ２）都度実行し、チャンネルプリセットモードが解除され、チャンネル設定が終了すると（Ｓ１６）リターンする。
【００３８】
以上のチャンネル設定動作では、例えば、チャンネル番号毎のセンタ周波数に対するカバー範囲が±４．５ＭＨｚ以内であれば、４．５ＭＨｚ／３４．６３７６ｋＨｚ＝１２９，９・・・≒１３０（ステップ）となり、チャンネルメモリ１０ｂの１チャンネル番号当たりに必要な記憶容量は、１ビットの正負符号も含めて９ビットとなり、チャンネルメモリ１０ｂの記憶フォーマットは、図４に示すようになる。
【００３９】
また、カバー範囲を±４．４ＭＨｚ以内とすれば、４．４ＭＨｚ／３４．６３７６ｋＨｚ≒１２７（ステップ）となり、チャンネルメモリ１０ｂの１チャンネル番号当たりに必要な記憶容量は、１ビットの正負符号も含めて８ビットとなる。
従って、従来必要であった１チャンネル番号当たりの記憶容量１５ビットに対して約半分の記憶容量で済み、受信精度を落とすことなく、チャンネル番号毎の受信周波数を小容量で記憶しておくことが出来る。
【００４０】
マイクロコンピュータ１０は、ユーザによりチャンネル番号が選択されると（図５Ｓ２０）、基準チャンネルメモリ１０ａに記憶されたチャンネルプランから、設定されたチャンネル番号に対応するチャンネル基準ステップ数を読み込む（Ｓ２２）。
マイクロコンピュータ１０は、次に、チャンネルメモリ１０ｂに記憶された（図３Ｓ１４）、設定された（Ｓ２０）チャンネル番号に対応する記憶ステップ数の絶対値及び記憶ステップ数の正負符号を読み込む（Ｓ２４）。
【００４１】
マイクロコンピュータ１０は、次に、読み込んだ（Ｓ２２）チャンネル基準ステップ数に、読み込んだ（Ｓ２４）記憶ステップ数を加算して、チャンネルステップ数を求める（Ｓ２６）。
マイクロコンピュータ１０は、次に、求めた（Ｓ２６）チャンネルステップ数から、ＵＨＦ，ＶＨＦＨ，ＶＨＦＬのバンド（周波数帯域）を識別し、バンド切り換えの為のバンドデータを作成する（Ｓ２８）。
【００４２】
マイクロコンピュータ１０は、次に、求めた（Ｓ２６）チャンネルステップ数に中間周波信号の周波数に相当するステップ数を加算して、局部発振回路１２が発振すべき局部発振信号の周波数に相当する局部発振ステップ数を求める（Ｓ３０）。
マイクロコンピュータ１０は、次に、求めた（Ｓ２６）チャンネルステップ数及び作成した（Ｓ２８）バンドデータを、バス１９経由で高周波増幅回路１１に与え、求めた（Ｓ３０）局部発振ステップ数及び作成した（Ｓ２８）バンドデータを、バス１９経由で局部発振回路１２に与え（Ｓ３２）リターンする。
【００４３】
以上の選局動作では、求めた（Ｓ２６）チャンネルステップ数から、バンドデータを作成する（Ｓ２８）ことにより、従来、チャンネル番号毎に４ビットが必要であったバンドデータの記憶容量が不要となり、チャンネル番号毎の受信周波数を更に小容量で記憶しておくことが可能である。
【００４４】
【発明の効果】
第１発明に係るテレビチューナによれば、チャンネル設定の為のメモリ容量を削減することが出来るテレビチューナを実現することが出来る。
【００４５】
第２発明に係るテレビチューナによれば、チャンネル番号毎に周波数帯域を切り換える為のデータを記憶する必要がなく、チャンネル設定の為のメモリ容量を削減することが出来るテレビチューナを実現することが出来る。
【００４６】
第３発明に係る映像機器によれば、チャンネル設定の為のメモリ容量を削減することが出来る。
【図面の簡単な説明】
【図１】本発明に係るテレビチューナ及び映像機器の実施の形態の要部構成を示すブロック図である。
【図２】局部発振回路の要部構成を示すブロック図である。
【図３】本発明に係る映像機器の動作を示すフローチャートである。
【図４】チャンネルメモリの記憶フォーマットを示す説明図である。
【図５】本発明に係る映像機器の動作を示すフローチャートである。
【図６】チャンネルプランの例を示す説明図である。
【図７】日本チャンネル受信周波数一覧表を示す説明図である。
【図８】アメリカチャンネル受信周波数一覧表を示す説明図である。
【図９】従来の映像機器の動作を示すフローチャートである。
【図１０】従来のチャンネル番号毎の受信周波数に相当するステップ数を記憶する為のフォーマットを示す説明図である。
【符号の説明】
７  チューナ
８  アンテナ
１０  マイクロコンピュータ
１０ａ  基準チャンネルメモリ
１０ｂ  チャンネルメモリ
１１  高周波増幅回路
１２  局部発振回路
１３  混合回路
１９  バス
２２  位相比較回路
２４  ＶＣＯ
２６  可変分周器
２７  シフトレジスタ
【図１】
0003551249.tif 000002
【図２】
0003551249.tif 000003
【図３】
0003551249.tif 000004
【図４】
0003551249.tif 000005
【図５】
0003551249.tif 000006
【図６】
0003551249.tif 000007
【図７】
0003551249.tif 000008
【図８】
0003551249.tif 000009
【図９】
0003551249.tif 000010
【図１０】
0003551249.tif 000011